(57)【要約】【課題】遊技球検知センサの着脱を容易に行えるとともに確実に係止することができ、さらには、球こぼれ防止部材をしっかりと取り付けられる弾球遊技機の提供を目的としている。【解決手段】本発明は、上面を開口しかつ外部から送給された遊技球を貯留できる球収容部３２と、遊技球を検知するセンサ本体Ｓａに、これを球収容部３２の開口縁部の一部に係止するための縁部係止片３７を取り付けてなる遊技球検知センサＳと、球収容部３２の開口縁部に嵌装されて、当該球収容部３２内の遊技球が外部にこぼれ出ることを防ぐための球こぼれ防止部材３３とを有する球補給装置Ｂを、遊技盤１１の背面側に配設した弾球遊技機であって、前記球収容部３２の開口縁部に、これ係止した縁部係止片３７を球こぼれ防止部材３３の下側に位置させられる深さのセンサ係止用切欠き３５ｂを形成したものである。【選択図】　図３
2004016269.tif 000002
【特許請求の範囲】
【請求項１】
上面を開口しかつ外部から送給された遊技球を貯留できる球収容部と、これに貯留された遊技球を検知するセンサ本体に、このセンサ本体を球収容部の開口縁部の一部に係止するための縁部係止片を取り付けてなる遊技球検知センサと、球収容部の開口縁部に嵌装されて、当該球収容部内の遊技球が外部にこぼれ出ることを防ぐ球こぼれ防止部材とを有する球補給装置を、遊技盤の背面側に配設した弾球遊技機であって、
前記球収容部の開口縁部に、これに係止した縁部係止片を球こぼれ防止部材の下側に位置させられる深さのセンサ係止用切欠きを形成したことを特徴とする弾球遊技機。
【請求項２】
センサ係止用切欠きが上側を開口した方形に形成されており、その深さを、球こぼれ防止部材とセンサ係止用切欠きの下縁との間に、縁部係止片を上下から挟んだ状態となるように設定していることを特徴とする請求項１記載の弾球遊技機。
【請求項３】
球収容部は、一側部から他側部に向けて低くなるように傾設された底壁を側壁により囲繞した箱形に形成されており、当該側壁の一側部側にセンサ係止用切欠きを配設し、かつ、底壁の他側部側に球排出口を形成していることを特徴とする請求項１又は２記載の弾球遊技機。
【請求項４】
球こぼれ防止部材は、開口縁部に嵌合する嵌合帯部上に、複数の突起を所要の間隔で形成してなるものであり、その嵌合帯部によってセンサ係止用切欠きを覆っていることを特徴とする請求項１，２又は３記載の弾球遊技機。
【請求項５】
球こぼれ防止部材に、これを球収容部の開口縁部に嵌着することにより、センサ係止用切欠きを閉塞する切欠き閉塞片を形成したことを特徴とする請求項１，２，３又は４記載の弾球遊技機。
【請求項６】
遊技球検知センサは、球収容部に遊技球を補給するためのものであることを特徴とする請求項１，２，３，４又は５記載の弾球遊技機。
【発明の詳細な説明】
【０００１】
【発明の属する技術分野】
本発明は、ぱちんこ機やスマートボールマシン等の弾球遊技機に係り、特に、外部から送給された遊技球を遊技機本体内に補給できる球補給装置を有する弾球遊技機に関する。
【０００２】
【従来の技術】
図９は、ぱちんこ機の遊技盤背面に配設された球収容部と、これに装着した球こぼれ防止部材の一例を示す斜視図、図１０は、その球収容部から球こぼれ防止部材を取り外した状態を示す斜視図である。
【０００３】
従来の球収容部１は、遊技盤２の背面に、これの背面及び平面視コ字形の側壁３〜５によって底壁６を四方から囲繞することにより、上面を開口した横長箱形のものであり、その側壁３〜５の開口縁部３ａ〜５ａには、これの全長にわたり球こぼれ防止部材７が取り付けられている。
【０００４】
側壁３〜５の開口縁部３ａ〜５ａには、後記する球こぼれ防止部材７の嵌合を保たせるためのフランジ部８が、当該開口縁部３ａ〜５ａの全長にわたりかつ側壁３〜５の外方に向けて突設されている。
【０００５】
球こぼれ防止部材７は、開口縁部３ａ〜５ａに嵌合する嵌合帯部７ａ上に、複数の突起７ｂ…を所要の間隔で起立形成してなるものである。
【０００６】
球収容部１には、これに貯留されている遊技球を検知するための遊技球検知センサ９が配設されており、それは、当該球収容部１内に配置されるセンサ本体９ａに、このセンサ本体９ａを側壁４等に係止するための係止片１０を固着してなるものである。
【０００７】
係止片１０は所謂クリップタイプのものであり、側壁４の板厚を勘案した幅の連結部１０ａに、当該側壁４を挟む一対の係止片１０ｂ，１０ｃを折曲形成したものである。
【０００８】
【発明が解決しようとする課題】
上記の構成では、側壁３〜５の開口縁部３ａ〜５ａにフランジ部８が外方に向けて突設されているので、係止片１０を着脱する際には、そのフランジ部８を乗り越えるようにして装着及び抜脱作業を行わなければならず煩雑である。
【０００９】
また、係止片１０を開口縁部４ａ等に係止した状態で、側壁３〜５の開口縁部３ａ〜５ａに球こぼれ防止部材７を装着すると、その係止部分において、係止片１０が邪魔になってしっかりと嵌合させることができない。
このため、上記従来の球収容部１には、側壁３〜５に嵌装した球こぼれ防止部材７の嵌合を維持するために、側壁３〜５にフランジ部８を設けざるを得ない。
【００１０】
さらに、側壁４等に遊技球検知センサ９を単に係止させた状態では、遊技球の貯留量や係止片１０のクリップ力の強弱によって、遊技球検知センサ９の係止位置が変動してしまい、好ましい係止位置に維持しておくことができないことも懸念される。
【００１１】
そこで本発明は、遊技球検知センサの着脱を容易に行えるとともに確実に係止することができ、さらには、球こぼれ防止部材をしっかりと取り付けられる弾球遊技機の提供を目的としている。
【００１２】
【課題を解決するための手段】
請求項１記載の発明は、上面を開口しかつ外部から送給された遊技球を貯留できる球収容部と、これに貯留された遊技球を検知するセンサ本体に、このセンサ本体を球収容部の開口縁部の一部に係止するための縁部係止片を取り付けてなる遊技球検知センサと、球収容部の開口縁部に嵌装されて、当該球収容部内の遊技球が外部にこぼれ出ることを防ぐ球こぼれ防止部材とを有する球補給装置を、遊技盤の背面側に配設した弾球遊技機であって、前記球収容部の開口縁部に、これに係止された縁部係止片を球こぼれ防止部材の下側に位置させられる深さのセンサ係止用切欠きを形成したことを特徴としたものである。
【００１３】
請求項２記載の発明は、センサ係止用切欠きが上側を開口した方形に形成されており、その深さを、球こぼれ防止部材と、センサ係止用切欠きの下縁との間に、縁部係止片を上下から挟んだ状態となるように設定している。
【００１４】
請求項３記載の発明は、球収容部が、一側部から他側部に向けて低くなるように傾設された底壁を側壁により四方から囲繞することによる箱形に形成されており、当該側壁の一側部側にセンサ係止用切欠きを配設し、かつ、底壁の他側部側に球排出口を形成している。
【００１５】
請求項４記載の発明は、球こぼれ防止部材が、開口縁部に嵌合する嵌合帯部上に、複数の突起を所要の間隔で形成してなるものであり、その嵌合帯部によってセンサ係止用切欠きを覆っている構成になっている。
【００１６】
請求項５記載の発明は、球こぼれ防止部材に、これを球収容部の開口縁部に嵌着することにより、センサ係止用切欠きを閉塞する切欠き閉塞片を形成したものである。
【００１７】
請求項６記載の発明は、遊技球検知センサが、球収容部に遊技球を補給するためのものである。
【００１８】
【発明の実施の形態】
本発明弾性遊技機の実施の形態について、図面を参照して説明する。
図１は、一実施形態に係る本発明弾球遊技機の正面側から見た外観斜視図、図２は、その弾球遊技機を背面側から見た斜視図である。なお、本実施形態においては、ぱちんこ機を弾球遊技機の一実施形態として説明する。
【００１９】
一実施形態に係るぱちんこ機Ａは、図２に示す遊技盤１１を固定した縦長の遊技機本体１２に、その遊技盤１１の正面を覆うガラス扉１３と受け皿付扉１４とを上下にしかつ開閉自在に取り付けた外観構成になっている。
【００２０】
ガラス扉１３は、略楕円形の窓穴１３ａを開設した縦長の方形枠１４に、前記遊技盤１１を視認できるガラス１５を嵌め込んだものであり、その方形枠１４の上部中央には枠ランプ１６が、また、これの左右にはスピーカ１７，１７が配設されている。
【００２１】
受け皿付扉１４で覆われる遊技機本体１２の正面には、遊技球射出装置がやや左側部寄りに配設され、また、ほぼ中央部分には遊技球貯溜部（いずれも図示しない）が配設されている。
【００２２】
受け皿付扉１４の上半部側には、払い出された遊技球を貯留する受け皿１８が突設されているとともに、下半部側には、遊技球を１発ずつ射出するための操作ハンドルＨと灰皿１９とが、受け皿１８を挟む両側下方に配設されている。なお、２０はカード返却釦、２１は貸し球用釦、２２，２２は遊技球排出釦である。
【００２３】
遊技盤１１は正面略方形に形成されており、これの正面には、ゲージ（図示しない）と、これを囲繞するようにしてガイドレールとが配設されている。
【００２４】
次に、弾球遊技機Ａの背面側の構成について説明する。図３は、球補給装置の斜視図、図４は、遊技球検知センサの外観斜視図、図５は、その球収容部の斜視図、図６は、図３に示す球補給装置の平面図、図７は、その背面図である。
【００２５】
前記した遊技機本体１２の背面側、具体的には上記遊技盤１１の背面側には、球補給装置Ｂ、球整列タンク２３、球払出し装置２４、主制御装置２５、電源装置２６、図柄制御装置２７、ランプ制御装置２８、音声制御装置２９、払出し制御装置３０、発射制御装置３１等が適宜配設されており、それらの詳細は次の通りである。
【００２６】
球補給装置Ｂは、外部から送給された多数の遊技球を貯留できるようにしたものであり、図２，３，６，７に示すように、球収容部３２，遊技球検知センサＳ及び球こぼれ防止部材３３から構成され、遊技盤１１背面側の最上部に配設されている。
【００２７】
遊技球検知センサＳは、詳細を後記する球収容部３２に遊技球を補給するためのものであり、それは、球収容部３２内に配置される直方体形のセンサ本体Ｓａと、このセンサ本体Ｓａを球収容部３２の側壁３５に、具体的には、後述するセンサ係止用切欠き３５ｂに係止するための縁部係止片３７とからなるものである。
【００２８】
縁部係止片３７は弾性材を用いた所謂クリップタイプのものであり、側壁３５の板厚、詳しくはセンサ係止用切欠き３５ｂの切欠き下縁３５ｅの板厚よりもやや幅広の連結部３７ａに、当該切欠き下縁３５ｅを弾性的に挟持できる一対の係止片部３７ｂ，３７ｃを折曲形成したものである。
【００２９】
係止片部３７ｂは、平坦な背面視横長方形にして形成されているとともに、係止片部３７ｃは、係止片部３７ｂと背面視同形でかつ当該係止片部３７ｂに常時弾接するように側面視略く字形に折曲形成されている。
【００３０】
球収容部３２は、側壁３４，３５，３６，４２により底壁３８を四方から囲繞することにより、上面を開口した横長箱形に形成されており、遊技盤１１の背面に重合されている裏セット板４１の凹部４１ａに嵌合固定してある。
【００３１】
底壁３８は、一側部（背面視右側部）から、平面視略方形の球排出口３８ａを形成した他側部（背面視左側部）に向けて低くなる所要の角度で傾設されている。これにより、貯留している遊技球を球排出口３８ａを通じて全て流下排出できるようにしている。
【００３２】
底壁３８のやや一側部寄りには、図２，３，５〜７に示すように、当該球収容部３２内に貯留されている遊技球が無くなったことを検出するための球切れレバー３９が取り付けられている。また、底壁３８の右側部寄り下方には、球切れレバー３９の変位により、球切れを検出する球切れ検出スイッチ（図示しない）が配設されている。
【００３３】
前記側壁３５の開口縁部３５ａであって一側部（背面視右側部）には、遊技球検知センサＳの縁部係止片３７を係止するための背面視横長方形のセンサ係止用切欠き３５ｂが形成されている。
【００３４】
センサ係止用切欠き３５ｂは、縁部係止片３７の幅Ｗにほぼ一致した幅Ｗにしているとともに、その深さＤを、縁部係止片３７を球こぼれ防止部材３３の下側に位置するように形成している。
具体的には、後記する球こぼれ防止部材３３の下縁３３ｄと、切欠き下縁３３ｅとの間に、縁部係止片３７を上下から挟んだ状態となるように上記深さＤを設定している。
なお、球こぼれ防止部材３３の下縁３３ｄと、切欠き下縁３３ｅとの間に、縁部係止片３７の板厚を超え、かつ、遊技球の直径以下の間隙が生じるようにしてもよい。遊技球の直径以下の間隙にすることにより、球収容部３２内の遊技球がこぼれ出ることがない。
【００３５】
球こぼれ防止部材３３は例えばゴム等の弾性材からなるものであり、側壁３４〜３６の開口縁部３４ａ〜３６ａに嵌合する嵌合帯部３３ａ上に、複数の突起３３ｂ…を所要の間隔で一体に形成してなるものである。
【００３６】
嵌合帯部３３ａは、側壁３４，３５，３６の開口縁部３４ａ，３５ａ，３６ａの長さを合算した寸法にほぼ一致する長さに形成されており、開口縁部３４ａ〜３６ａを弾性的に挟持する挟持溝３３ｃを形成した下向きＵ字形に成形されている。
【００３７】
突起３３ｂは、基端部から先端部に向けてやや幅狭になる縦長台形にして形成されており、遊技球の直径よりも狭い間隔（ピッチ）で形成されている。
【００３８】
球整列タンク２３は、上記球収容部３２の球排出口３８ａの下方に位置する球受け端部２３ａから、背面視右側部の排出端部２３ｂに向けて次第に低くなる傾斜姿勢にして形成されており、上記球排出口３８ａから排出した遊技球を２列に整列して流下させるようになっている。
【００３９】
球整列タンク２３の下側には、図柄制御装置２７、ランプ制御装置２８及び音声制御装置２９が互いに並設されており、それらはカバー４０によって覆われている。
【００４０】
主制御装置２５はカバー４０の下側に配設されており、それは、遊技制御プログラムに従って弾球遊技機Ａ全体を制御する機能を有するＣＰＵ（Ｃｅｎｔｒａｌ　Ｐｒｏｃｅｓｓｉｎｇ　Ｕｎｉｔ）等からなるものである。
【００４１】
上記主制御装置２５の下側には、電源装置２６，払出し制御装置３０及び発射制御装置３１が並設されている。
【００４２】
払出し制御装置３０は、主制御装置２５から送信される制御信号に基づいて、払出装置及びＣＲ（Ｃａｒｄ　Ｒｅａｄｅｒ）ユニット（いずれも図示しない）を制御する機能を有している。
【００４３】
発射制御装置３１は、上記主制御装置２５から送信される制御信号に基づき、遊技球射出装置（図示しない）を制御する機能を有しているものである。
【００４４】
上記の構成からなる弾球遊技機Ａの動作について、主に球補給装置Ｂを中心として説明する。
球収容部３２に遊技球検知センサＳを取り付けるには、その球収容部３２に嵌装されている球こぼれ防止部材３３を側壁３４〜３６の開口縁部３４ａ〜３６ａから取り外しておく。
【００４５】
球こぼれ防止部材３３を側壁３４〜３６の開口縁部３４ａ〜３６ａから取り外した状態で、側壁３５のセンサ係止用切欠き３５ｂに、遊技球検知センサＳの縁部係止片３７を差し込み、それの係止片部３７ｂ，３７ｃで、当該センサ係止用切欠き３５ｂの切欠き下縁３５ｅを弾性的に挟持する。
【００４６】
係止片部３７ｂ，３７ｃで、当該センサ係止用切欠き３５ｂの切欠き下縁３５ｅを弾性的に挟持することにより、センサ本体Ｓａがしっかりと側壁３５に固定されるとともに、センサ係止用切欠き３５ｂが縁部係止片３７の位置決め部材として機能し、従ってまた、当該遊技球検知センサＳが開口縁部３５ａに沿って変動することを防ぐことができ、位置ずれすることがない。
【００４７】
遊技球検知センサＳをセンサ係止用切欠き３５ｂに係止した後、球こぼれ防止部材３３を側壁３４〜３６の開口縁部３４ａ〜３６ａに嵌装する。これにより、球こぼれ防止部材３３の嵌合帯部３３ａの下側直近に位置させられるとともに、当該嵌合帯部３３ａによってセンサ係止用切欠き３５ｂを覆うことができる。
従って、センサ係止用切欠き３５ｂが目立たず、また、遊技球検知センサＳをセンサ係止用切欠き３５ｂに係止しないときにも、当該センサ係止用切欠き３５ｂから遊技球がこぼれ出ることがない。
【００４８】
また、従来のように、縁部係止片３７が球こぼれ防止部材３３と側壁３４〜３６の開口縁部３４ａ〜３６ａとの間に介挿されることがないので、球こぼれ防止部材３３を側壁３４〜３６の開口縁部３４ａ〜３６ａにしっかりと固定できる。従って、本実施形態において示しているように、側壁にフランジ部を必ずしも形成する必要はない。
【００４９】
さらに、球こぼれ防止部材３３によって縁部係止片３７を、これの上側から押さえた状態若しくは上方への抜け出しを防ぐことができるので、遊技球検知センサＳが不時に抜け落ちることもない。
【００５０】
ところで、遊技の進行に伴って、球収容部３２に貯留されている遊技球が次第に減少するが、その減少は球切れレバー３９又は遊技球検知センサＳによって検知される。
【００５１】
遊技球検知センサＳによって、球収容部３２に貯留されている遊技球が検知されているときには遊技球の補給は行われず、また、当該遊技球検知センサＳによって遊技球が検知されないときには遊技球の補給が行われるようになっており、球収容部３２内に所要量の遊技球を常時貯留しておくことができる。
【００５２】
図８に、他例に係る球補給装置Ｃを示す。図８は、他例に係る球補給装置の背面図である。なお、以下に説明する球補給装置は、センサ係止用切欠きの深さが異なること及び球こぼれ防止部材に切欠き閉塞片を設けたことを除き、前記したものと同等の構成になっているので、ここでは、それらと同等のものに同一の符号を付して説明を省略し、主に相違点について説明する。
【００５３】
側壁３５に形成されたセンサ係止用切欠き３５ｃは、係止片３７の幅Ｗにほぼ一致した幅Ｗの横長方形のものであり、これの深さＤ′を、前記したセンサ係止用切欠き３５ｂよりも大きな寸法にしている。換言すると、球こぼれ防止部材３３′の嵌合帯部３３ａによって覆うことができない程度の深さにしている。
【００５４】
球こぼれ防止部材３３′は、センサ係止用切欠き３５ｃを閉塞する切欠き閉塞片３３ｄを嵌合帯部３３ａに一体に形成している点が、上記球こぼれ防止部材３３と相違している。
【００５５】
切欠き閉塞片３３ｄは、センサ係止用切欠き３５ｃの幅にほぼ一致し、かつ、球こぼれ防止部材３３′を側壁３４〜３６の開口縁部３４ａ〜３６ａに嵌装したときに、センサ係止用切欠き３５ｃの下縁にほぼ一致する高さの方形にして形成されている。
【００５６】
なお、切欠き閉塞片３３ｄは、球こぼれ防止部材３３′を側壁３４〜３６の開口縁部３４ａ〜３６ａに嵌装したときに、センサ係止用切欠き３５ｃに一致する位置に配設されている。
【００５７】
この球こぼれ防止部材３３′の構成であれば、センサ係止用切欠き３５ｃの大きさや深さに拘わらず、当該センサ係止用切欠き３５ｃを切欠き閉塞片３３ｄによって閉塞できる。すなわち、センサ係止用切欠き３５ｃの大きさや深さを任意に設定することができる。
【００５８】
なお、本発明は前述した実施形態に限るものではなく、次のような変形実施が可能である。
上記においては、弾球遊技機としてぱちんこ機を例として説明したが、例えばピンボールマシンやスマートボールマシン等にも適用できる。
【００５９】
上記においては遊技盤の背面に裏セット板が重合されており、その裏セット板に、底壁を側壁囲繞した箱形の形成球収容部を配設した例について説明しているが、これに限るものではなく、例えば底壁を側壁及び裏セット板により囲繞して形成してもよい。すなわち、側壁４２は必ずしも設ける必要はない。
【００６０】
また、例えば裏セット板を設けることなく、遊技盤の裏面に球収容部を直接的に形成してもよい。この場合、側壁４２を設けることなく、底壁を側壁及び遊技盤により囲繞した箱形に形成することもできる。
【００６１】
上記においては、側壁の開口縁部に、球こぼれ防止部材の嵌合を保たせるためのフランジ部を形成していないものについて説明したが、当該フランジ部を開口縁部の全長にわたりかつ側壁の外方に向けて突設した構成にしてもよい。
【００６２】
【発明の効果】
請求項１〜６記載の発明によれば、球収容部の開口縁部に、これ係止した縁部係止片を球こぼれ防止部材の下側に位置させられる深さのセンサ係止用切欠きを形成したので、遊技球検知センサの着脱を容易に行えるとともに確実に係止することができ、さらには、球こぼれ防止部材をしっかりと上記開口縁部に取り付けることができる。
【００６３】
請求項１〜６記載の発明で得られる上記共通の効果に加え、各請求項記載の発明によれば、次の効果を得ることができる。
請求項２記載の発明によれば、センサ係止用切欠きが上側を開口した方形に形成されており、その深さを、球こぼれ防止部材と、センサ係止用切欠きの下縁との間に、縁部係止片を上下から挟んだ状態となるように設定しているので、遊技球検知センサのがたつきを抑えることができる。
【００６４】
請求項３記載の発明によれば、側壁の一側部側に配設したセンサ係止用切欠きに球検出センサを係止することにより、当該球検出センサを、底壁の他側部側に形成した球排出口から適度に離間して配設できる。
【００６５】
請求項４記載の発明によれば、球こぼれ防止部材が、側壁の開口縁部に嵌合する嵌合帯部上に、複数の突起を所要の間隔で形成してなるものであり、その嵌合帯部によってセンサ係止用切欠きを覆っているので、遊技球検知センサを取り外したときにも、当該センサ係止用切欠きから遊技球がこぼれ出ることがなく、また、目立たず体裁がよい。
【００６６】
請求項５記載の発明によれば、球こぼれ防止部材に、これを球収容部の開口縁部に嵌着することにより、センサ係止用切欠きを閉塞する切欠き閉塞片を形成しているので、センサ係止用切欠きを任意の大きさ，深さに形成することができる。
【図面の簡単な説明】
【図１】一実施形態に係る本発明弾球遊技機の正面側から見た外観斜視図である。
【図２】同上の弾球遊技機を背面側から見た斜視図である。
【図３】球補給装置の斜視図である。
【図４】遊技球検知センサの外観斜視図である。
【図５】球収容部の斜視図である。
【図６】図３に示す球補給装置の平面図である。
【図７】その球補給装置の背面図である。
【図８】他例に係る球補給装置の背面図である。
【図９】従来のぱちんこ機の遊技盤背面側に配設された球収容部と、これに装着した球こぼれ防止部材の一例を示す斜視図である。
【図１０】その球収容部から球こぼれ防止部材を取り外した状態を示す斜視図である。
【符号の説明】
１１　　　　　　　遊技盤
３２　　　　　　　球収容部
３３，３３′　　　球こぼれ防止部材
３３ａ　　　　　　嵌合帯部
３３ｄ　　　　　　切欠き閉塞片
３４〜３６，４２　側壁
３４ａ〜３６ａ　　開口縁部
３５ｂ　　　　　　センサ係止用切欠き
３７　　　　　　　縁部係止片
３８　　　　　　　底壁
３８ａ　　　　　　球排出口
Ｂ　　　　　　　　球補給装置
Ｓ　　　　　　　　遊技球検知センサ
Ｓａ　　　　　　　センサ本体
【図１】
2004016269.tif 000003
【図２】
2004016269.tif 000004
【図３】
2004016269.tif 000005
【図４】
2004016269.tif 000006
【図５】
2004016269.tif 000007
【図６】
2004016269.tif 000008
【図７】
2004016269.tif 000009
【図８】
2004016269.tif 000010
【図９】
2004016269.tif 000011
【図１０】
2004016269.tif 000012